【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
第１の感度および前記第１の感度よりも低い第２の感度で放射線を検出する複数の画素を含む放射線撮像装置であって、
前記複数の画素のそれぞれは、
入射する放射線に応じた電荷を生成する変換素子で生成された電荷を蓄積する容量と、前記変換素子とスイッチ素子を介して接続された追加容量と、を含み、前記スイッチ素子をオフ動作させることによって前記第１の感度で動作し、前記スイッチ素子をオン動作させることによって前記第２の感度で動作し、
前記放射線撮像装置への放射線の照射の開始に応じて、前記第１の感度で、照射された放射線に応じた信号を蓄積するための動作を開始し、
信号を蓄積するための動作の開始から、放射線が照射される期間よりも短い第１の時間の経過後、蓄積された信号を第１の信号としてサンプリングし、次いで、前記第２の感度に切り替え、照射された放射線に応じた信号を蓄積し、
前記放射線撮像装置への放射線の照射の終了に応じて前記スイッチ素子をオフ動作させた後、蓄積された信号を第２の信号としてサンプリングし、
前記第１の信号および前記第２の信号に基づいた放射線画像を生成するために、前記第１の信号および前記第２の信号を出力することを特徴とする放射線撮像装置。
【請求項２】
前記放射線撮像装置は、処理部を更に含み、
前記複数の画素のそれぞれは、前記第１の信号および前記第２の信号を前記処理部に出力し、
前記処理部は、前記第１の信号および前記第２の信号に基づいて前記放射線画像を生成することを特徴とする請求項１に記載の放射線撮像装置。
【請求項３】
前記処理部は、信号を蓄積するための動作の開始から前記第１の信号をサンプリングするまでの時間と、信号を蓄積するための動作の開始から前記第２の信号をサンプリングするまでの時間と、に応じた係数を前記第１の信号および前記第２の信号の少なくとも一方に適用し、少なくとも一方に前記係数が適用された前記第１の信号および前記第２の信号に基づいて前記放射線画像を生成することを特徴とする請求項２に記載の放射線撮像装置。
【請求項４】
前記処理部は、信号を蓄積するための動作の開始から前記第１の信号をサンプリングするまでの時間と、信号を蓄積するための動作の開始から前記第２の信号をサンプリングするまでの時間と、に応じた係数を前記第２の信号に適用し、
前記第１の信号の大きさが第１の大きさよりも小さい場合、前記第１の信号に基づいて前記放射線画像を生成し、
前記第１の信号の大きさが前記第１の大きさよりも小さい第２の大きさよりも小さい場合、前記係数が適用された前記第２の信号に基づいて前記放射線画像を生成し、
前記第１の信号の大きさが前記第１の大きさ以下かつ前記第２の大きさ以上の場合、前記第１の信号および前記係数が適用された前記第２の信号に基づいて前記放射線画像を生成することを特徴とする請求項２に記載の放射線撮像装置。
【請求項５】
前記処理部は、前記第１の信号から取得される実効的な放射線の線量と、前記第２の信号から取得される実効的な放射線の線量と、に応じた係数を前記第１の信号および前記第２の信号の少なくとも一方に適用し、少なくとも一方に前記係数が適用された前記第１の信号および前記第２の信号に基づいて前記放射線画像を生成することを特徴とする請求項２に記載の放射線撮像装置。
【請求項６】
前記複数の画素のそれぞれは、前記第２の信号をサンプリングした後、前記第１の信号および前記第２の信号を出力することを特徴とする請求項１乃至５の何れか１項に記載の放射線撮像装置。
【請求項７】
前記複数の画素のそれぞれは、
前記第１の信号をサンプリングした後かつ前記第２の信号をサンプリングするまでの間に前記第１の信号を出力し、
前記第２の信号をサンプリングした後、前記第２の信号を出力することを特徴とする請求項１乃至５の何れか１項に記載の放射線撮像装置。
【請求項８】
前記放射線撮像装置は、ユーザによって設定される撮像情報に応じて、前記第１の時間を決定することを特徴とする請求項１乃至７の何れか１項に記載の放射線撮像装置。
【請求項９】
請求項１乃至８の何れか１項に記載の放射線撮像装置と、
放射線を発生するための放射線発生装置と、
を備えることを特徴とする放射線撮像システム。
【請求項１０】
第１の感度および前記第１の感度よりも低い第２の感度で放射線を検出する複数の画素を含む放射線撮像装置の駆動方法であって、
前記複数の画素のそれぞれは、入射する放射線に応じた電荷を生成する変換素子で生成された電荷を蓄積する容量と、前記変換素子とスイッチ素子を介して接続された追加容量と、を含み、前記スイッチ素子をオフ動作させることによって前記第１の感度で動作し、前記スイッチ素子をオン動作させることによって前記第２の感度で動作し、
前記放射線撮像装置への放射線の照射の開始に応じて、前記複数の画素のそれぞれに前記第１の感度で、照射された放射線に応じた信号を蓄積するための動作を開始させる第１の工程と、
信号を蓄積するための動作の開始から、放射線が照射される期間よりも短い第１の時間の経過後、前記複数の画素のそれぞれにおいて蓄積された信号を第１の信号としてサンプリングさせ、次いで、前記複数の画素のそれぞれを前記第２の感度に切り替え、照射された放射線に応じた信号を蓄積させる第２の工程と、
前記放射線撮像装置への放射線の照射の終了に応じて前記スイッチ素子をオフ動作させた後、前記複数の画素のそれぞれにおいて蓄積された信号を第２の信号としてサンプリングさせる第３の工程と、
前記第１の信号および前記第２の信号に基づいた放射線画像を生成するために、前記複数の画素のそれぞれから前記第１の信号および前記第２の信号を出力させる第４の工程と、
を含むことを特徴とする駆動方法。
【請求項１１】
前記第１の工程と前記第２の工程と前記第３の工程と前記第４の工程とを、この順で繰り返すことによって動画を撮像することを特徴とする請求項１０に記載の駆動方法。
【請求項１２】
コンピュータに、請求項１０または１１に記載の駆動方法の各工程を実行させるためのプログラム。
【手続補正２】
【補正対象書類名】明細書
【補正対象項目名】０００６
【補正方法】変更
【補正の内容】
【０００６】
上記課題に鑑みて、本発明の実施形態に係る放射線撮像装置は、第１の感度および第１の感度よりも低い第２の感度で放射線を検出する複数の画素を含む放射線撮像装置であって、複数の画素のそれぞれは、入射する放射線に応じた電荷を生成する変換素子で生成された電荷を蓄積する容量と、変換素子とスイッチ素子を介して接続された追加容量と、を含み、スイッチ素子をオフ動作させることによって第１の感度で動作し、スイッチ素子をオン動作させることによって第２の感度で動作し、放射線撮像装置への放射線の照射の開始に応じて、第１の感度で、照射された放射線に応じた信号を蓄積するための動作を開始し、信号を蓄積するための動作の開始から、放射線が照射される期間よりも短い第１の時間の経過後、蓄積された信号を第１の信号としてサンプリングし、次いで、第２の感度に切り替え、照射された放射線に応じた信号を蓄積し、放射線撮像装置への放射線の照射の終了に応じて前記スイッチ素子をオフ動作させた後、蓄積された信号を第２の信号としてサンプリングし、第１の信号および第２の信号に基づいた放射線画像を生成するために、第１の信号および第２の信号を出力することを特徴とする。